(57)【要約】【課題】オーバーラップエリアでの干渉をなくし、伝送効率を上げてハンドオーバー処理時間の短縮、シームレスハンドオーバーを実現する。【解決手段】複数のアクセスポイントの無線サービスエリア間を移動しながら通信を行うステーションとを備え、前記ステーションが各無線サービスエリア間を移動しながら自己が位置する無線サービスエリアのアクセスポイントと通信する無線ＬＡＮネットワークシステム及びサービスエリア間ハンドオーバー方法である。前記ステーションから制御信号を常に周期的に送信することによって移動先アクセスポイント及び移動元アクセスポイントの両方に、互いに干渉させないで制御信号を受信させる。または、各アクセスポイントから異なる周波数の制御信号を送信させ、前記ステーションで前記各アクセスポイントから同時に２つの異なる周波数の制御信号を受信させる。【選択図】図１
2008205596.tif 000002
【特許請求の範囲】
【請求項１】
独自の無線サービスエリアを有すると共に隣接する無線サービスエリアとの間でオーバーラップエリアを有する複数のアクセスポイントと、各アクセスポイントの無線サービスエリア間を移動しながら通信を行うステーションとを備え、前記ステーションが各無線サービスエリア間を移動しながら自己が位置する無線サービスエリアのアクセスポイントと通信する無線ＬＡＮネットワークシステムにおいて、
隣接する２つの前記無線サービスエリア間に位置する前記ステーションと前記２つの無線サービスエリアの各アクセスポイントのうちの一方との間の通信と、前記ステーションと他方の前記アクセスポイントとの間の通信とを、互いに干渉させないで行う通信手段を備えて構成されたことを特徴とする無線ＬＡＮネットワークシステム。
【請求項２】
請求項１に記載の無線ＬＡＮネットワークシステムにおいて、
前記通信手段が、前記ステーションに組み込まれ、当該ステーションが移動する際に、当該ステーションから制御信号を常に周期的に送信することによって移動先アクセスポイント及び移動元アクセスポイントの両方に、互いに干渉させないで制御信号を受信させることを特徴とする無線ＬＡＮネットワークシステム。
【請求項３】
請求項２に記載の無線ＬＡＮネットワークシステムにおいて、
前記通信手段が前記ステーションから前記制御信号を常に周期的に送信させて移動先アクセスポイント及び移動元アクセスポイントの両方に制御信号を受信させることによって、前記移動先アクセスポイントが、前記移動元アクセスポイント及び前記ステーションを制御して、前記移動元アクセスポイントと前記ステーションとの信号送受信を停止させ、前記移動先アクセスポイントと前記ステーションとの信号送受信を開始させることを特徴とする無線ＬＡＮネットワークシステム。
【請求項４】
請求項１乃至３のいずれか1項に記載の無線ＬＡＮネットワークシステムにおいて、
前記移動元アクセスポイントと前記移動先アクセスポイントとの間で有線リンクを確立し、これら移動先アクセスポイントと移動元アクセスポイントとの間でのデータのバッファリング及びデータの転送を行うことを特徴とする無線ＬＡＮネットワークシステム。
【請求項５】
請求項１に記載の無線ＬＡＮネットワークシステムにおいて、
前記通信手段が、隣接する各アクセスポイントからそれぞれ異なる周波数の制御信号を送信させ、前記ステーションで前記隣接する各アクセスポイントから同時に２つの異なる周波数の制御信号を受信させる機能を備えたことを特徴とする無線ＬＡＮネットワークシステム。
【請求項６】
請求項５に記載の無線ＬＡＮネットワークシステムにおいて、
前記移動元アクセスポイントと前記移動先アクセスポイントとの間で有線リンクを確立し、これら移動先アクセスポイントと前記移動元アクセスポイントとの間でのデータのバッファリング及びデータの転送を行うことを特徴とする無線ＬＡＮネットワークシステム。
【請求項７】
独自の無線サービスエリアを有すると共に隣接する無線サービスエリアとの間でオーバーラップエリアを有する複数のアクセスポイントと、各アクセスポイントの無線サービスエリア間を移動しながら通信を行うステーションとを備え、前記ステーションが各無線サービスエリア間を移動しながら自己が位置する無線サービスエリアのアクセスポイントと通信するサービスエリア間ハンドオーバー方法において、
隣接する２つの前記無線サービスエリア間に位置する前記ステーションと前記２つの無線サービスエリアの各アクセスポイントのうちの一方との間の通信と、前記ステーションと他方の前記アクセスポイントとの間の通信とを、通信手段で制御して互いに干渉させないで行うことを特徴とするサービスエリア間ハンドオーバー方法。
【請求項８】
請求項７に記載のサービスエリア間ハンドオーバー方法において、
前記ステーションが移動する際に、当該ステーションから制御信号を常に周期的に送信することによって移動先アクセスポイント及び移動元アクセスポイントの両方に、互いに干渉させないで制御信号を受信させることを特徴とするサービスエリア間ハンドオーバー方法。
【請求項９】
請求項８に記載のサービスエリア間ハンドオーバー方法において、
前記通信手段が前記ステーションから前記制御信号を常に周期的に送信させて移動先アクセスポイント及び移動元アクセスポイントの両方に制御信号を受信させることによって、前記移動先アクセスポイントが、前記移動元アクセスポイント及び前記ステーションを制御して、前記移動元アクセスポイントと前記ステーションとの信号送受信を停止させ、前記移動先アクセスポイントと前記ステーションとの信号送受信を開始させることを特徴とするサービスエリア間ハンドオーバー方法。
【請求項１０】
請求項７乃至９のいずれか1項に記載のサービスエリア間ハンドオーバー方法において、
前記移動元アクセスポイントと前記移動先アクセスポイントとの間で有線リンクを確立し、これら移動先アクセスポイントと移動元アクセスポイントとの間でのデータのバッファリング及びデータの転送を行うことを特徴とするサービスエリア間ハンドオーバー方法。
【請求項１１】
請求項７に記載のサービスエリア間ハンドオーバー方法において、
隣接する各アクセスポイントからそれぞれ異なる周波数の制御信号を送信させ、前記ステーションで前記隣接する各アクセスポイントから同時に２つの異なる周波数の制御信号を受信させることを特徴とするサービスエリア間ハンドオーバー方法。
【請求項１２】
請求項１１に記載のサービスエリア間ハンドオーバー方法において、
前記移動元アクセスポイントと前記移動先アクセスポイントとの間で有線リンクを確立し、これら移動先アクセスポイントと前記移動元アクセスポイントとの間でのデータのバッファリング及びデータの転送を行うことを特徴とするサービスエリア間ハンドオーバー方法。
【発明の詳細な説明】
【技術分野】
【０００１】
本発明は、ステーションが複数のアクセスポイントの無線サービスエリア間を移動しながら自己が位置する無線サービスエリアのアクセスポイントと通信する無線ＬＡＮネットワークシステム及びサービスエリア間ハンドオーバー方法に関する。
【背景技術】
【０００２】
従来の無線ＬＡＮネットワークは、有線ＬＡＮに基本サービスエリア（ＢＳＡ：Ｂａｓｉｃ  Ｓｅｒｖｉｃｅ  Ａｒｅａ）が複数接続され、拡張サービスエリア（ＥＳＡ：Ｅｘｔｅｎｄｅｄ  Ｓｅｒｖｉｃｅ  Ａｒｅａ）を構成することによって実現されている。ＢＳＡ内には単−のアクセスポイント（ＡＰ）が存在し、ＢＳＡ内のステーション（ＳＴＡ）は前記ＡＰと直接通信することでこのＡＰを介してネットワーク上での通信を可能としている。
【０００３】
このような無線ＬＡＮネットワークシステムでは、ＢＳＡ内に複数のＳＴＡが存在することを考慮にいれて、フレームの衝突回避と検出とを行い、通信するＣＳＭＡ／ＣＡ（Ｃａｒｒｉｅｒ  Ｓｅｎｓｅ  Ｍｕｌｔｉｐｉｅ  Ａｃｃｅｓｓ  ｗｉｔｈ  Ｃｏｌｌｉｓｉｏｎ  Ａｖｏｉｄａｎｃｅ）手順を採用する。
【０００４】
ＳＴＡはＢＳＡ間を移動することが可能であり、その際ＳＴＡはパッシプスキャン方式もしくはアクティブスキャン方式を用いて移動先ＡＰと同期をとる。
【０００５】
ＳＴＡは移動に関して自由度があり、隣接するＢＳＡがオーバーラップしているエリアに滞在する可能性もある為、スキャンする際には隣接するＢＳＡの電界強度等の状態を比較して状態のよいＢＳＡと接続する。
【０００６】
また、ＳＴＡが、通信を継続したままＢＳＡ間の移動を可能にする為には、移動元ＢＳＡと移動先ＢＳＡと同時に通信を行う必要があり、隣接するＢＳＡがオーバーラップしているエリアで制御を行う。
【特許文献１】特開２００４−２２９２２５号公報
【非特許文献１】ワイヤレスＬＡＮアーキテクチュア  共立出版
【発明の開示】
【発明が解決しようとする課題】
【０００７】
しかしながら、上述した従来技術では、ネットワークを構成し、オーバーラップエリアを設置した場合、ＣＤＭＡ方式以外の場合は、隣接するＢＳＡの周波数を調整する必要がある。同じ周波数に設定した場合、オーバーラップしたエリアで干渉による伝送効率が低下してしまう。また、異なる周波数に設定した場合、ＥＳＡで許容している周波数ごとにＳＴＡがスキャンを行う必要があり、ＢＳＡの切り替え所要時間が増加してしまう。
【課題を解決するための手段】
【０００８】
本発明は、上記課題を解決するためになされたもので、ＣＤＭＡ方式でない場合でも、隣接する無線サービスエリアの周波数を同じ値に設定し、スキャン時間をより短くして伝送効率を下げることなくシームレスハンドオーバーを実現できるようにしたものである。
【０００９】
本発明は、独自の無線サービスエリアを有すると共に隣接する無線サービスエリアとの間でオーバーラップエリアを有する複数のアクセスポイントと、各アクセスポイントの無線サービスエリア間を移動しながら通信を行うステーションとを備え、前記ステーションが各無線サービスエリア間を移動しながら自己が位置する無線サービスエリアのアクセスポイントと通信する無線ＬＡＮネットワークシステム及びサービスエリア間ハンドオーバー方法である。隣接する２つの前記無線サービスエリア間に位置する前記ステーションと前記２つの無線サービスエリアの各アクセスポイントのうちの一方との間の通信と、前記ステーションと他方の前記アクセスポイントとの間の通信とを、互いに干渉させないで行うようにする。即ち、前記ステーションが移動する際に、当該ステーションから制御信号を常に周期的に送信することによって移動先アクセスポイント及び移動元アクセスポイントの両方に、互いに干渉させないで制御信号を受信させる。また、前記ステーションから前記制御信号を常に周期的に送信させて移動先アクセスポイント及び移動元アクセスポイントの両方に制御信号を受信させることによって、前記移動先アクセスポイントが、前記移動元アクセスポイント及び前記ステーションを制御して、前記移動元アクセスポイントと前記ステーションとの信号送受信を停止させ、前記移動先アクセスポイントと前記ステーションとの信号送受信を開始させる。
【００１０】
もう一つの方法として、隣接する各アクセスポイントからそれぞれ異なる周波数の制御信号を送信させ、ステーションで前記隣接する各アクセスポイントから同時に２つの異なる周波数の制御信号を受信させる。ステーションは移動元アクセスポイントに制御信号を送信する。あとは移動元アクセスポイントが起点となり同様な手順によりハンドオーバーを実施する。
【発明の効果】
【００１１】
前記構成により、移動先アクセスポイントと移動元アクセスポイントの各無線サービスエリアがオーバーラップしているエリアでの干渉を無くすことができる。これにより、ステーションが移動元アクセスポイントから移動先アクセスポイントに移動する際に、シームレスハンドオーバーを実現することができる。
【発明を実施するための最良の形態】
【００１２】
以下、本発明の実施形態に係る無線ＬＡＮネットワークシステム及びサービスエリア間ハンドオーバー方法について添付図面を参照して説明する。本実施形態に係る無線ＬＡＮネットワークシステム及びサービスエリア間ハンドオーバー方法は、隣接する基本サービスエリア（ＢＳＡ）が同周波数の場合に、シームレスハンドオーバーを実現するためのものである。このため、第１の手段では、ステーション（ＳＴＡ）がスキャン状態でない場合においても、周期的に制御信号を送信しこれを受信した移動先アクセスポイント（移動先ＡＰ）が移動元アクセスポイント（移動元ＡＰ）およびＳＴＡを制御することで実現する。第２の手段では、ＳＴＡに制御信号用受信チャネルを２つ設置し、隣接するＢＳＡで使用するチャネルを異なるものに設定することによってオーバーラップエリアで前記制御を行うことにより実現する。
【００１３】
［第１実施形態］
図１は本発明の第１実施形態に係る無線ＬＡＮネットワークシステムを示す構成図である。この無線ＬＡＮネットワークシステムは、独自の無線サービスエリアを有すると共に隣接する無線サービスエリアとの間でオーバーラップエリアを有する複数のアクセスポイント（ＡＰ）と、各アクセスポイント（ＡＰ）の無線サービスエリア間を移動しながら通信を行うステーション（ＳＴＡ）とを備え、前記ステーション（ＳＴＡ）が各無線サービスエリア間を移動しながら自己が位置する無線サービスエリアのアクセスポイント（ＡＰ）と通信する無線ＬＡＮネットワークシステムである。ここでは、説明を簡単にするために、１つのステーション（ＳＴＡ）と２つのアクセスポイント（ＡＰ）のみを図示して、２つのアクセスポイント（移動元ＡＰと移動先ＡＰ）の各無線サービスエリア間を１つのステーション（ＳＴＡ）が移動する場合を例に説明する。
【００１４】
図中の１−１はステーション（ＳＴＡ）、１−２は移動元アクセスポイント（移動元ＡＰ）、１−３は移動先アクセスポイント（移動先ＡＰ）、１−４はＳＴＡ−移動元ＡＰ間無線通信アップリンク、１−５は有線ＬＡＮ、１−６は隣接するＡＰ間の制御用有線リンク、１−７はＳＴＡ移動方向、１−８はＳＴＡ−移動先ＡＰ間無線アップリンク、１−９はＳＴＡ受信用アンテナ、１−１０はＳＴＡ送信アンテナ、１−１１は移動元ＡＰ送信アンテナ、１−１２は移動元ＡＰ受信用アンテナ、１−１３は移動先ＡＰ送信アンテナ、１−１４は移動先ＡＰ受信アンテナ、１−１５はＳＴＡ−移動元ＡＰ間無線通信ダウンリンク、１−１６はＳＴＡ−移動先ＡＰ間無線ダウンリンクをそれぞれ示す。
【００１５】
ＳＴＡ１−１は移動元ＡＰ１−２との間で、ＳＴＡ−移動元ＡＰ間無線通信アップリンク１−４及びＳＴＡ−移動元ＡＰ間無線通信ダウンリンク１−１５が確立されていて、データ通信をしている状態である。このＳＴＡ１−１は、移動先ＡＰ１−３側である、１−７の方向に移動しているものとする。ＳＴＡ１−１には、隣接する２つの前記無線サービスエリア間に位置する当該ＳＴＡ１−１と前記２つの無線サービスエリアの各アクセスポイント（移動元ＡＰ１−２、移動先ＡＰ１−３）のうちの一方との間の通信と、前記ＳＴＡ１−１と他方の前記アクセスポイント（移動先ＡＰ１−３、移動元ＡＰ１−２）との間の通信とを、互いに干渉させないで行う通信手段が備えられている。この通信手段は、前記ＳＴＡ１−１に組み込まれ、当該ＳＴＡ１−１が移動する際に、当該ＳＴＡ１−１から制御信号を常に周期的に送信する送信機能を備えて構成されている。この送信機能ことによって、移動先ＡＰ１−３及び移動元ＡＰ１−２の両方に、互いに干渉させることなく、制御信号を受信させる。この送信機能のために、ＳＴＡ−移動元ＡＰ間無線通信アップリンク１−４と、ＳＴＡ−移動先ＡＰ間無線アップリンク１−８の周波数は同じ値とする。ＳＴＡ−移動元ＡＰ間無線通信ダウンリンク１−１５と、ＳＴＡ−移動先ＡＰ間無線ダウンリンク１−１６も周波数は同じ値とする。
【００１６】
ＳＴＡ−移動元ＡＰ間無線通信アップリンク１−４と、ＳＴＡ−移動元ＡＰ間無線通信ダウンリンク１−１５は周波数帯を干渉しない様に異なる値とする。ＳＴＡ−移動先ＡＰ間無線アップリンク１−８と、ＳＴＡ−移動先ＡＰ間無線ダウンリンク１−１６も周波数帯を干渉しない様に異なる値とする。
【００１７】
ＳＴＡ１−１が、移動先ＡＰ１−３に移動した際に、本願発明の方式を用いることにより、無線リンク１−８を確立する。
【００１８】
各アクセスポイント（前記移動元ＡＰ１−２、移動先ＡＰ１−３）の間では有線リンク１−６が確立され、各アクセスポイントの間でのデータのバッファリング及びデータの転送が行われる。
【００１９】
図２にアクセスポイントのＭＡＣ部の構成を示す。図示するＭＡＣ部は、制御部２−１と、無線用ＭＡＣ部２−２と、イーサネット（登録商標）用ＭＡＣ部２−３と、制御用有線リンクＭＡＣ部２−４とから構成されている。無線用ＭＡＣ部２−２及びイーサネット用ＭＡＣ部２−３からの信号は、それぞれ無線信号、バックボーンのネットワーク信号として入出力される。また制御用有線リンクＭＡＣ部２−４は図１の１−６制御用有線リンクの信号として使われる。
【００２０】
制御部２−１は、パケットの行き先を決定する機能を有する。つまり、制御部２−１は、ＡＰの状態に応じて、イーサネット用ＭＡＣ部２−３、または無線用ＭＡＣ部２−２からのデータをカプセル化して制御有線リンクＭＡＣ部２−４に転送する。
【００２１】
図３に制御用有線リンクＭＡＣ部のフレームフォーマットの例を示す。ここでは主に、送信先アドレス３−１、送信元アドレス３−２、メッセージ種別３−３、データ長３−４、データ部３−５を備えて構成されている。
【００２２】
図４にノード間の信号シーケンスを示す。ここでは、ＳＴＡ４−１と、移動元ＡＰ４−２と、移動先ＡＰ４−３との間での信号の送受信例を示す。このシーケンスのように、前記通信手段が、前記ＳＴＡ４−１から前記制御信号を常に周期的に送信させて、移動先ＡＰ４−３及び移動元ＡＰ４−２の両方に制御信号を受信させることによって、前記移動先ＡＰ４−３が、前記移動元ＡＰ４−２及び前記ＳＴＡ４−１を制御して、前記移動元ＡＰ４−２と前記ＳＴＡ４−１との信号送受信を停止させ、前記移動先ＡＰ４−３と前記ＳＴＡ４−１との信号送受信を開始させる。このシーケンスの具体的な説明は後述する。
【００２３】
［サービスエリア間ハンドオーバー方法］
次に、本実施形態に係るサービスエリア間ハンドオーバー方法について図１及び図４を基に説明する。
【００２４】
ＳＴＡ１−１は前記送信機能によって、常に周期的に制御信号を送信する。ＳＴＡ１−１は、宛先を限定せずにブロードキャストで送信することによって、移動元ＡＰ１−２に制御信号４−４を受信させると共に、移動先ＡＰ１−３に制御信号４−５を受信可能となる。これにより、ＳＴＡ１−１が、隣接する無線サービスエリアとの間のオーバーラップエリアに移動すると、移動先ＡＰ１−３に制御信号４−５が受信される。制御信号４−５を受信した移動先ＡＰ１−３は制御信号４−５からＳＴＡ１−１が移動元ＡＰ１−２と無線リンク１−４が確立していることを判断する。制御信号４−５はＳＴＡ１−１の制御部２−１で設定され、無線用ＭＡＣフレームに設定される。
【００２５】
制御信号４−５の受信を契機に移動先ＡＰ１−３は移動元ＡＰ１−２に対して制御信号４−６を送信して、ハンドオーバー開始を要求する。これを受信した移動元ＡＰ１−２は移動先ＡＰ１−３に対して応答信号４−７を出力すると共に、ＳＴＡ１−１に対してハンドオーバー指示４−８を行い、かつＳＴＡ１−１に送信するデータをバッファリングする。これにより、前記移動元ＡＰ１−２と前記ＳＴＡ１−１との信号送受信を停止させる。
【００２６】
移動元ＡＰ１−２と移動先ＡＰ１−３間の信号送受信は、図３の有線リンク用フレームフォーマットを用いて通信を行う。制御情報のように転送データが存在しない場合はデータ長３−４をＮＵＬＬに設定して用いる。ハンドオーバー指示４−８の受信を契機にＳＴＡ１−１は送信データのバッファリングを開始し、移動元ＡＰ１−２との無線リンク１−４を解放し、移動先ＡＰ１−３に対してハンドオーバー要求４−９を送信する。これを受信した移動先ＡＰ１−３はＳＴＡ１−１との間で無線リンク１−８を確立し、移動元ＡＰ１−２に対してデータ転送要求４−１０を行う。これを受信した移動元ＡＰ１−２は応答４−１１を移動先ＡＰ１−３に送信し、バッファリングしていたデータをデータ部３−５にカプセル化して移動先ＡＰ１−３に対して送信する。応答４−１１を受信した移動先ＡＰ１−３は、ＳＴＡ１−１に対してハンドオーバー応答４−１２を送信し、これを受信したＳＴＡ１−１は移動先ＡＰ１−３に対してバッファリングしていたデータを順次送信する。これにより、前記移動先ＡＰ１−３と前記ＳＴＡ１−１との信号送受信を開始させる。
【００２７】
［効果］
これにより、隣接する無線サービスエリアの周波数が同じである場合でも、オーバーラップエリアでの干渉をなくすことが可能になる。
【００２８】
また、オーバーラップエリアでの干渉をなくすことにより、伝送効率が上がってハンドオーバー処理時間の短縮が可能になる。これにより、シームレスハンドオーバーを実現することができる。
【００２９】
さらに、隣接する無線サービスエリアの周波数を同じ値に設定することが可能になり、スキャン時間を省略できるため、ハンドオーバー処理時間の短縮が可能になる。
【００３０】
［第２実施形態］
次に、本発明の第２の実施形態について説明する。本実施形態の無線ＬＡＮネットワークシステム及びサービスエリア間ハンドオーバー方法は、隣接する各アクセスポイントからそれぞれ異なる周波数の制御信号を常に送信させ、前記ステーションで前記隣接する各アクセスポイントから同時に２つの異なる周波数の制御信号を受信させてハンドオーバー処理を行うことで、各無線サービスエリアのオーバーラップエリアでの干渉を無くすものである。
【００３１】
図５は本発明の第２実施形態に係る無線ＬＡＮネットワークシステムを示す構成図である。
【００３２】
図中の５−１は移動元ＡＰ、５−２は移動先ＡＰ、５−３はＳＴＡ、５−４は有線ＬＡＮ、５−５は制御用有線リンク、５−６は移動元ＡＰ制御用アンテナ、５−７は移動元ＡＰデータ通信用アンテナ、５−８は移動先ＡＰ制御用アンテナ、５−９は移動先ＡＰデータ通信用アンテナ、５−１０は第１ＳＴＡ制御用アンテナ、５−１１は第２ＳＴＡ制御用アンテナ、５−１２はＳＴＡデータ通信用アンテナ、５−１３は移動元ＡＰ−ＳＴＡ間制御用無線リンク、５−１４は移動元ＡＰ−ＳＴＡ間データ通信用無線リンク、５−１５は移動先ＡＰ−ＳＴＡ間データ通信用無線リンク、５−１６は移動先ＡＰ−ＳＴＡ間制御用無線リンク、５−１７はＳＴＡ移動方向をそれぞれ示す。本実施形態の無線ＬＡＮネットワークシステムの全体的構成は、前記第１実施形態の無線ＬＡＮネットワークシステムとほぼ同様であるため、ここでは本実施形態の特徴部分を中心に説明する。
【００３３】
ここでは、隣接する移動元ＡＰ５−１及び移動先ＡＰ５−２から送信される、２つの異なる周波数の制御信号を同時に受信させるために、ＳＴＡ５−３には、ＳＴＡデータ通信用アンテナ５−１２と共に、第１ＳＴＡ制御用アンテナ５−１０及び第２ＳＴＡ制御用アンテナ５−１１を備えている。ＳＴＡ５−３は、この第１ＳＴＡ制御用アンテナ５−１０と第２ＳＴＡ制御用アンテナ５−１１とで、隣接する移動元ＡＰ５−１及び移動先ＡＰ５−２の異なる周波数の制御信号を同時に受信するようになっている。
【００３４】
移動元ＡＰ５−１及び移動先ＡＰ５−２は各制御用アンテナ５−６、５−８からそれぞれ異なる周波数の制御信号を常に周期的に送信する。各制御信号は、ＳＴＡ５−３の第１ＳＴＡ制御用アンテナ５−１０と第２ＳＴＡ制御用アンテナ５−１１とで受信される。このリンクはＡＰからＳＴＡへの信号送信のみの片リンクとする。
【００３５】
ＳＴＡ５−３は移動元ＡＰ５−１と、移動元ＡＰ−ＳＴＡ間データ通信用無線リンク５−１４が確立されていて、これらＳＴＡ５−３と移動元ＡＰ５−１との間でデータの送受信をしている状態で、ＳＴＡ５−３が５−１７の方向に移動しているものとする。
【００３６】
ＳＴＡ５−３が、移動先ＡＰ５−２の無線サービスエリアに移動した際に、本実施形態の方式を用いることにより、移動先ＡＰ−ＳＴＡ間データ通信用無線リンク５−１５を確立する。
【００３７】
図６にノード間シーケンスを示す。ここでは、ＳＴＡ５−３と、移動元ＡＰ５−１と、移動先ＡＰ５−２との間での信号の送受信例を示す。このシーケンスのように、前記通信手段が、隣接する各アクセスポイント（移動元ＡＰ５−１、移動先ＡＰ５−２）からそれぞれ異なる周波数の制御信号を常に送信させ、前記ＳＴＡ５−３で前記各アクセスポイントからの２つの異なる周波数の制御信号を同時に受信させる。このシーケンスの具体的な説明は後述する。
【００３８】
［サービスエリア間ハンドオーバー方法］
次に、本実施形態に係るサービスエリア間ハンドオーバー方法について図６を基に説明する。
【００３９】
移動元ＡＰ５−１及び移動先ＡＰ５−２は常に周期的に制御信号６−４、６−５を送信している。ＳＴＡ５−３は、第１ＳＴＡ制御用アンテナ５−１０で移動元ＡＰ５−１の制御信号６−４を受信しながら、５−１７の方向に移動している。そして、ＳＴＡ５−３が、オーバーラップエリアに差し掛かると、移動元ＡＰ５−１の制御信号６−４を受信すると同時に、第２ＳＴＡ制御用アンテナ５−１１で移動先ＡＰ５−２の制御信号６−５を受信する。ＳＴＡ５−３は隣接する移動元ＡＰ５−１及び移動先ＡＰ５−２から第１ＳＴＡ制御用アンテナ５−１０及び第２ＳＴＡ制御用アンテナ５−１１で同時に制御信号６−４、６−５を受信することによって、接続先ＡＰの切り替えを実施する。
【００４０】
ＳＴＡ５−３は、同時に２つの制御信号６−４、６−５を受信した際に、移動元ＡＰ５−１に対してハンドオーバー準備要求６−６を送信する。これを受信した移動元ＡＰ５−１はハンドオーバー開始要求６−７を送信し、移動先ＡＰ５−２はハンドオーバー開始応答６−８を送信して、移動元ＡＰ５−１と移動先ＡＰ５−２との間に制御用有線リンク５−５を確立する。これにより、移動元ＡＰ５−１と移動先ＡＰ５−２との間での信号送受信は、制御用有線リンク５−５上で行われ、図３の有線リンク用フレームフォーマットを用いて通信が行われる。制御用有線リンク５−５の確立を契機に、ＳＴＡ５−３に送信するデータをデータ部３−５にカプセル化して移動先ＡＰ５−２に対して送信する。移動先ＡＰ５−２はＳＴＡ５−３と、移動先ＡＰ−ＳＴＡ間データ通信用無線リンク５−１５が確立するまでこのデータをバッファリングする。
【００４１】
移動元ＡＰ５−１と移動先ＡＰ５−２との間の制御用有線リンク５−５が確立しデータ転送開始を契機に、移動元ＡＰ５−１はハンドオーバー準備応答６−９をＳＴＡ５−３に対して送信する。これを受信したＳＴＡ５−３は、ハンドオーバー要求６−１０を移動先ＡＰ５−２に送信すると共に、送信データのバッファリング及び移動元ＡＰ５−１との間の、移動元ＡＰ−ＳＴＡ間データ通信用無線リンク５−１４を解放する。さらに、移動元ＡＰ５−１は移動先ＡＰ５−２からのハンドオーバー応答６−１１を受信して、移動先ＡＰ−ＳＴＡ間データ通信用無線リンク５−１５を確立する。
【００４２】
確立後、移動先ＡＰ５−２及びＳＴＡ５−３間で、バッファリングしていたデータを移動先ＡＰ−ＳＴＡ間データ通信用無線リンク５−１５を用いて送受信する。
【００４３】
［効果］
これにより、隣接する無線サービスエリアの周波数が同じである場合でも、制御信号の周波数を異ならせることで、オーバーラップエリアでの干渉をなくすことが可能になる。
【００４４】
また、オーバーラップエリアでの干渉をなくすことにより、伝送効率が上がりハンドオーバー処理時間の短縮が可能になる。
【００４５】
さらに、隣接する無線サービスエリアの周波数を同じ値に設定することが可能になり、スキャン時間を省略できるため、ハンドオーバー処理時間の短縮が可能になる。
【００４６】
［変形例］
前記各実施形態では、前記移動先アクセスポイントが、前記移動元アクセスポイント及び前記ステーションを制御して、前記移動元アクセスポイントと前記ステーションとの信号送受信を停止させ、前記移動先アクセスポイントと前記ステーションとの信号送受信を開始させるようにしたが、前記移動元アクセスポイントが、移動先アクセスポイント及び前記ステーションを制御して、前記移動元アクセスポイントと前記ステーションとの信号送受信を停止させ、前記移動先アクセスポイントと前記ステーションとの信号送受信を開始させるようにしてもよい。制御機能を何れのアクセスポイントに持たせても良い。この場合も前記各実施形態同様の作用、効果を奏することができる。
【図面の簡単な説明】
【００４７】
【図１】本発明の第１実施形態に係る無線ＬＡＮネットワークシステムを示す構成図である。
【図２】ＭＡＣ層の構成を示すプロトコル構成図である。
【図３】有線リンク用フレームフォーマットの例を示す模式図である。
【図４】第１実施形態に係る無線ＬＡＮネットワークシステムの制御を示すノード間シーケンスである。
【図５】第２実施形態に係る無線ＬＡＮネットワークシステムを示す構成図である。
【図６】第２実施形態に係る無線ＬＡＮネットワークシステムの制御を示すノード間シーケンスである。
【符号の説明】
【００４８】
１−１：ステーション（ＳＴＡ）、１−２：移動元アクセスポイント（移動元ＡＰ）、１−３：移動先アクセスポイント（移動先ＡＰ）、１−４：ＳＴＡ−移動元ＡＰ間無線通信アップリンク、１−５：有線ＬＡＮ、１−６：隣接するＡＰ間の制御用有線リンク、１−７：ＳＴＡ移動方向、１−８：ＳＴＡ−移動先ＡＰ間無線アップリンク、１−９：ＳＴＡ受信用アンテナ、１−１０：ＳＴＡ送信アンテナ、１−１１：移動元ＡＰ送信アンテナ、１−１２：移動元ＡＰ受信用アンテナ、１−１３：移動先ＡＰ送信アンテナ、１−１４：移動先ＡＰ受信アンテナ、１−１５：ＳＴＡ−移動元ＡＰ間無線通信ダウンリンク、１−１６：ＳＴＡ−移動先ＡＰ間無線ダウンリンク、５−１：移動元ＡＰ、５−２：移動先ＡＰ、５−３：ＳＴＡ、５−４：有線ＬＡＮ、５−５：制御用有線リンク、５−６：移動元ＡＰ制御用アンテナ、５−７：移動元ＡＰデータ通信用アンテナ、５−８：移動先ＡＰ制御用アンテナ、５−９：移動先ＡＰデータ通信用アンテナ、５−１０：第１ＳＴＡ制御用アンテナ、５−１１：第２ＳＴＡ制御用アンテナ、５−１２：ＳＴＡデータ通信用アンテナ、５−１３：移動元ＡＰ−ＳＴＡ間制御用無線リンク、５−１４：移動元ＡＰ−ＳＴＡ間データ通信用無線リンク、５−１５：移動先ＡＰ−ＳＴＡ間データ通信用無線リンク、５−１６：移動先ＡＰ−ＳＴＡ間制御用無線リンク、５−１７：ＳＴＡ移動方向。
【図１】
2008205596.tif 000003
【図２】
2008205596.tif 000004
【図３】
2008205596.tif 000005
【図４】
2008205596.tif 000006
【図５】
2008205596.tif 000007
【図６】
2008205596.tif 000008